(57)【要約】      （修正有）【課題】書籍のページがめくれないようにする書籍ページホルダーを提供する。【解決手段】書籍ページホルダーは、書籍の任意のページを挟持するために用いられ、本体１０と、底面座体２０と、挟持蓋３０を含み、本体が頂面を含み、底面座体が本体に連接され、挟持蓋が本体に連接され、頂面と挟持蓋の間に挟持空間が形成され、書籍のページ１１０が挟持空間にあるとき、頂面と挟持蓋が書籍のページを挟持する。【選択図】図３
0003210114.tif 000002
【実用新案登録請求の範囲】
【請求項１】
書籍の任意のページを挟持するために用いられる書籍ページホルダーであって、前記書籍ページホルダーが、
頂面を含む本体と、
前記本体に連接された底面座体と、
前記本体に連接された挟持蓋を含み、そのうち、前記頂面と前記挟持蓋の間に挟持空間が形成され、
そのうち、前記書籍のページが前記挟持空間に配置されたとき、前記頂面と前記挟持蓋が前記書籍のページを挟み込むことを特徴とする、書籍ページホルダー。
【請求項２】
前記挟持蓋がさらに挟持片を含み、前記書籍のページが前記挟持空間に外地されたとき、前記頂面と前記挟持片が前記書籍のページを挟み込むことを特徴とする、請求項１に記載の書籍ページホルダー。
【請求項３】
さらに弾性部材を含み、かつ前記挟持蓋がさらに少なくとも１つの挟持蓋嵌置溝を含み、前記弾性部材が前記少なくとも１つの挟持蓋嵌置溝に嵌置されて固定されることを特徴とする、請求項２に記載の書籍ページホルダー。
【請求項４】
前記本体がさらに少なくとも１つの本体嵌置溝を含み、かつ前記弾性部材が前記少なくとも１つの本体嵌置溝に嵌置されて固定されることを特徴とする、請求項３に記載の書籍ページホルダー。
【請求項５】
前記弾性部材が前記少なくとも１つの本体嵌置溝と前記少なくとも１つの挟持蓋嵌置溝に嵌置されたとき、前記弾性部材が前記挟持蓋に対して引張力を加え、前記挟持蓋を前記頂面に向かって移動させることを特徴とする、請求項４に記載の書籍ページホルダー。
【請求項６】
前記少なくとも１つの本体嵌置溝と前記少なくとも１つの挟持蓋嵌置溝の数量がいずれも２つであり、前記２つの本体嵌置溝が前記本体の両側にそれぞれ配置され、前記２つの挟持蓋嵌置溝が前記挟持蓋の両側にそれぞれ配置され、かつ前記２つの本体嵌置溝の上方にそれぞれ配置されることを特徴とする、請求項５に記載の書籍ページホルダー。
【請求項７】
前記挟持片がゴム片であることを特徴とする、請求項６に記載の書籍ページホルダー。
【請求項８】
前記弾性部材が輪ゴムであることを特徴とする、請求項７に記載の書籍ページホルダー。
【請求項９】
前記本体、前記底面座体、前記挟持蓋が一体成型の紙板で形成されたことを特徴とする、請求項８に記載の書籍ページホルダー。
【考案の詳細な説明】
【技術分野】
【０００１】
本考案は書籍ページホルダーに関し、特に、書籍のページがめくれてしまうことがないようにする書籍ページホルダーに関する。
【背景技術】
【０００２】
一般に人が本を読むとき、手で書籍を持ったり、書籍を机の上に置いたりすることがある。読者が書籍を机の上に置くとき、読者は手で書籍のページに触れていないことがあり、このとき書籍のページが風に吹かれて、書籍のページがめくれてしまったり、書籍自体の重さでも書籍のページがめくれてしまうことがある。このような場合、読者は閲読を中断し、めくれた書籍のページを再度めくって閲読していた元のページに戻す必要があり、非常に不便である。
【０００３】
このため、書籍のページを挟持して書籍のページがめくれてしまうことがないようにすることができる挟持座体を提供する必要がある。
【考案の概要】
【考案が解決しようとする課題】
【０００４】
本考案の主な目的は、書籍のページがめくれてしまうことがないようにする書籍ページホルダーを提供することにある。
【課題を解決するための手段】
【０００５】
上述の目的を達するため、本考案の書籍ページホルダーは、書籍の任意のページを挟持するために用いられ、本体と、底面座体と、挟持蓋を含み、前記本体が頂面を含み、前記底面座体が前記本体に連接され、前記挟持蓋が前記本体に連接され、前記頂面と前記挟持蓋の間に挟持空間が形成され、書籍のページが挟持空間にあるとき、頂面と挟持蓋が書籍のページを挟持する。
【０００６】
本考案の一実施例によれば、そのうち、前記挟持蓋がさらに挟持片を含み、書籍のページが挟持空間に位置するとき、頂面と挟持片が書籍のページを挟持する。
【０００７】
本考案の一実施例によれば、前記書籍ページホルダーはさらに弾性部材を含み、かつ前記挟持蓋がさらに少なくとも１つの挟持蓋嵌置溝を含み、前記弾性部材が前記挟持蓋嵌置溝に嵌置されて固定される。
【０００８】
本考案の一実施例によれば、そのうち、前記本体がさらに少なくとも１つの本体嵌置溝を含み、かつ前記弾性部材が前記少なくとも１つの本体嵌置溝に嵌置されて固定される。
【０００９】
本考案の一実施例によれば、そのうち、前記弾性部材が前記本体嵌置溝と前記挟持蓋嵌置溝に嵌置されたとき、前記弾性部材が前記挟持蓋に対して引張力を加え、前記挟持蓋を前記頂面に向かって移動させる。
【００１０】
本考案の一実施例によれば、そのうち、前記本体嵌置溝と前記挟持蓋嵌置溝の数量はいずれも２つであり、２つの前記本体嵌置溝が前記本体の両側にそれぞれ配置され、２つの前記挟持蓋嵌置溝が前記挟持蓋の両側にそれぞれ配置され、かつ前記２つの本体嵌置溝の上方に配置される。
【００１１】
本考案の一実施例によれば、そのうち、前記挟持片がゴム片である。
【００１２】
本考案の一実施例によれば、そのうち、前記弾性部材が輪ゴムである。
【００１３】
本考案の一実施例によれば、そのうち、前記本体、前記底面座体、前記挟持蓋は一体成型の紙板で形成される。
【図面の簡単な説明】
【００１４】
【図１】本考案の一実施例の書籍ページホルダーの立体外観図である。
【図２】本考案の一実施例の弾性部材を除いた書籍ページホルダーの立体外観図である。
【図３】本考案の一実施例の書籍のページを挟持した書籍ページホルダーの立体外観図である。
【図４】本考案の一実施例の挟持蓋が持ち上げられた状態の書籍ページホルダーの立体外観図である。
【図５】本考案の一実施例の書籍ページホルダーの底部の立体外観図である。
【考案を実施するための形態】
【００１５】
以下、本考案の技術内容についてさらに理解を深められるように、特に具体的な実施例を挙げて説明する。
【００１６】
以下では図１から図５の本考案の書籍ページホルダーを併せて参照する。図１は本考案の一実施例の書籍ページホルダーの立体外観図であり、図２は本考案の一実施例の弾性部材を除いた書籍ページホルダーの立体外観図であり、図３は本考案の一実施例の書籍のページを挟持した書籍ページホルダーの立体外観図であり、図４は本考案の一実施例の挟持蓋被を持ち上げた状態の書籍ページホルダーの立体外観図であり、図５は本考案の一実施例の書籍ページホルダーの底部の立体外観図である。
【００１７】
図１と図３に示すように、本考案の一実施例の書籍ページホルダー１は、書籍１００の書籍のページ１１０が外力を受けてめくれてしまい、読者の閲読に影響することを回避するため、書籍１００の任意のページ１１０を挟持するために用いられる。書籍ページホルダー１は、本体１０、底面座体２０、挟持蓋３０、弾性部材５０を含む。本体１０、底面座体２０、挟持蓋３０は一体成型の紙板で形成されるが、本体１０、底面座体２０、挟持蓋３０の材質はこれに限らず、木またはプラスチック、金属であってもよい。
【００１８】
図１、図２、図５に示すように、本考案の一実施例において、前記本体１０は冂字形の紙板であり、本体１０は頂面１１と２つの本体嵌置溝１２を含む。２つの本体嵌置溝１２は本体１０の両側にそれぞれ配置され、かつ各本体嵌置溝１２が本体１０と底面座体２０の連接箇所に配置される。しかしながら、本体嵌置溝１２の数量は２つに限らず、設計のニーズに応じて変更してもよい。
【００１９】
本考案の一実施例において、底面座体２０は書籍１００の位置を固定するために用いられる。書籍１００を底面座体２０上面に置いたとき、書籍１００自体の重量で底面座体２０を押さえ、書籍ページホルダー１と底面座体上に配置された書籍１００の的位置を保持して固定することができ、かつ書籍１００自体の重量で書籍のページ１１０がめくれ、書籍ページホルダー１が一緒に移動されることを回避できる。底面座体２０は長方形の平板であり、本体１０下方に位置し、本体１０に連接される。しかしながら、本体１０と挟持蓋３０が重量の比較的重い木やプラスチック、または金属で成る場合、本体１０と挟持蓋３０自体の重量で書籍１００を押さえて書籍１００の位置を固定することができるため、書籍ページホルダー１は底面座体２０に書籍１００を載せなくてもよい設計としてもよく、または底面座体２０を体積と重量が比較的小さく、本体１０下方に位置する方形の平板のみとして設計してもよい。
【００２０】
図１から図４に示すように、本考案の一実施例において、挟持蓋３０は枢着方式で本体１０に連接される。挟持蓋３０は挟持片３１と２つの挟持蓋嵌置溝３２を含む。挟持片３１は挟持蓋３０の頂面１１側を向いた一面上に設置される。挟持片３１はゴム片であり、摩擦力を提供し、挟まれた書籍のページ１１０の離脱を防止するために用いられる。しかしながら、挟持片３１の種類は上述のゴム片に限らず、その他摩擦力を提供できる物品としてもよい。頂面１１と挟持蓋３０の間に挟持空間４０が形成される。書籍１００のページ１１０が挟持空間４０に位置するとき、頂面１１と挟持蓋３０の挟持片３１が書籍のページ１１０を挟み込む。このとき、挟持片３１が相当の摩擦力を備えているため、挟まれた書籍のページ１１０が頂面１１と挟持蓋３０の挟持片３１による挟持から離脱しにくくなる。２つの挟持蓋嵌置溝３２は挟持蓋３０の両側にそれぞれ配置され、かつ２つの本体嵌置溝１２の上方にそれぞれ配置される。しかしながら、挟持蓋嵌置溝３２の数量は２つに限らず、設計のニーズに応じて変更してもよい。
【００２１】
図１、図３、図５に示すように、本考案の一実施例において、弾性部材５０は輪ゴムであり、弾性部材５０が本体１０と挟持蓋３０を囲み、かつ弾性部材５０が２つの本体嵌置溝１２と２つの挟持蓋嵌置溝３２に嵌置されて固定される。弾性部材５０が２つの本体嵌置溝１２と２つの挟持蓋嵌置溝３２に嵌置されて固定されると、弾性部材５０が挟持蓋３０に対して引張力を加え、挟持蓋３０が頂面１１に向かって移動される。これにより、挟持蓋３０と頂面１１の間の挟持空間４０が小さくなり、かつ挟持空間４０内に置かれた書籍のページ１１０が挟持蓋３０と頂面１１によりしっかりと挟み込まれ、離脱しにくくなる。
【００２２】
使用者が本考案の書籍ページホルダー１を使用したいときは、書籍１００のページ１１０を挟むとき、図４に示すように、使用者は書籍１００を底面座体２０上に置き、かつ手で挟持蓋３０を持ち上げ、書籍のページ１１０を頂面１１に配置する。続いて、使用者が挟持蓋３０を放すと、弾性部材５０が挟持蓋３０に対して引張力を加えるため、挟持蓋３０を頂面１１に向かって移動させることができる。これにより、挟持蓋３０と頂面１１の間の挟持空間４０が小さくなり、かつ挟持空間４０内に置かれた書籍のページ１１０が挟持蓋３０の挟持片３１と頂面１１によりしっかりと挟み込まれ、離脱しにくくなる。使用者が書籍１００のページをめくり、書籍の次の面を閲読したいときは、使用者は手で挟持蓋３０を少し持ち上げ、書籍１００のページをめくり、ページをめくった後の書籍のページ１１０を挟持空間４０に入れて、書籍１００の閲読を継続することができる。
【００２３】
本考案の書籍ページホルダー１の構造設計により、書籍１００のページ１１０を挟み込み、書籍１００のページがめくれてしまい、読者の閲読に影響を生じることがないようにすることができる。本考案の書籍ページホルダー１は軽便な紙板で形成され、重量が軽く、体積が小さく、収納に便利であるという利点を備えている。
【００２４】
上述は単に実施例を挙げたものであり、実施例に限定されないことに注意が必要である。したがって、本考案の基本構成を逸脱しないものはすべて、本考案の主張する権利範囲に含まれ、本考案は実用新案登録請求の範囲に準じるものとする。
【符号の説明】
【００２５】
書籍ページホルダー１
本体１０
頂面１１
本体嵌置溝１２
底面座体２０
挟持蓋３０
挟持片３１
挟持蓋嵌置溝３２
挟持空間４０
弾性部材５０
書籍１００
書籍のページ１１０
【図１】
0003210114.tif 000003
【図２】
0003210114.tif 000004
【図３】
0003210114.tif 000005
【図４】
0003210114.tif 000006
【図５】
0003210114.tif 000007